(57)【要約】  【課題】液晶表示装置に用いられる、所定の方向に延在する明部および暗部を有する光学部材と液晶パネルの画素との間で生じるモアレを目立ちにくくして、高い品位の表示画像を実現できる液晶表示装置の製造方法を得ること。  【解決手段】画像表示領域において、列方向および行方向に規則的に配列されている画素を備えた液晶パネル１と、バックライト装置２の光源から照射される光を透過させる光学部材２２とを備えた液晶表示装置１００において、画素の配列パターンによる明暗のくり返しパターン４１、４４と、光学部材による明暗のくり返しパターン４２とによって生じるモアレがユーザに認識されないような条件で、液晶パネル１とバックライト装置２とを配置する。【選択図】図４
2013160803.tif 000002
【特許請求の範囲】
【請求項１】
複数の画素により形成された画像表示領域を備える液晶パネルと、
前記液晶パネルに画像表示のための照射光を照射する光源を備え、前記液晶パネルの背面側に配置されたバックライト装置と、
前記光源からの光を透過する光学部材とを備えた液晶表示装置の製造方法であって、
前記画像表示領域において前記画素は、第１の方向および第２の方向に規則性を持って配列され、
前記光学部材は、第３の方向に延在する明部および暗部を有し、
前記画素の前記第１の方向への配列の間隔をＡ、前記第２の方向への配列の間隔をＢ、前記光学部材の前記明部と前記暗部とが形成する明暗のくり返しパターンの間隔をＣとし、
前記第１の方向に垂直な方向と前記第３の方向とがなす角度をθ、前記第１の方向と前記第２の方向とがなす角度の９０°からのズレ量をαとした場合に、
Ａ／Ｃ×sinθ＝ｎ−１／２  （第１式）、
および、
Ｂ／Ｃ×（cosθ×cosα＋（sinθ×ｋ×Ｃ／Ａ）×sinα）＝ｍ−１／２  （第２式）
（但し、ｎ、ｍは自然数、ｋはＡ／Ｃ×sinθを四捨五入して整数値としたもの）
の少なくともいずれか一方の式を満たす条件で、前記液晶パネルと前記光学部材とを配置することを特徴とする液晶表示装置の製造方法。
【請求項２】
前記光学部材が、前記バックライト装置の一部として前記光源と前記液晶パネルとの間に配置され、一方の主面に、配列間隔Ｃで凸状部が多数連続して形成された光学シートである請求項１に記載の液晶表示装置の製造方法。
【請求項３】
前記第１の方向と前記第２の方向とがなす角度が９０°（α＝０°）である請求項１または２に記載の液晶表示装置の製造方法。
【請求項４】
前記第１式を満たす条件に対して、前記第１の方向に垂直な方向と前記第３の方向とがなす角度θを、プラスマイナス［５×Ｃ／Ａ］（°）の範囲の値に設定する請求項１〜３のいずれかに記載の液晶表示装置の製造方法。
【請求項５】
前記第１式を満たす条件に対して、前記画素の前記第１の方向への配列の間隔Ａを、プラスマイナス［１０×Ｃ／Ａ］（％）の範囲の値に設定する請求項１〜３のいずれかに記載の液晶表示装置の製造方法。
【請求項６】
前記第１式を満たす条件に対して、前記光学部材の前記明暗のくり返しパターンの間隔Ｃを、プラスマイナス［１０×Ｃ／Ａ］（％）の範囲の値に設定する請求項１〜３のいずれかに記載の液晶表示装置の製造方法。
【請求項７】
前記第２式を満たす条件に対して、前記第１の方向に垂直な方向と前記第３の方向とがなす角度θを、プラスマイナス［５×Ｃ／Ｂ］（°）の範囲の値に設定する請求項１〜３のいずれかに記載の液晶表示装置の製造方法。
【請求項８】
前記第２式を満たす条件に対して、前記画素の前記第２の方向への配列の間隔Ｂを、プラスマイナス［１０×Ｃ／Ｂ］（％）の範囲の値に設定する請求項１〜３のいずれかに記載の液晶表示装置の製造方法。
【請求項９】
前記第２式を満たす条件に対して、前記光学部材の前記明暗のくり返しパターンの間隔Ｃを、プラスマイナス［１０×Ｃ／Ｂ］（％）の範囲の値に設定する請求項１〜３のいずれかに記載の液晶表示装置の製造方法。
【発明の詳細な説明】
【技術分野】
【０００１】
本発明は、液晶パネルを備えた液晶表示装置を製造する製造方法に関する。
【背景技術】
【０００２】
近年、テレビジョン受像機やパソコンモニタ、さらに、携帯電話をはじめとする携帯型の各種電子機器の表示装置として、低消費電力、薄型、軽量などの特長を有する液晶表示装置が広く用いられている。液晶表示装置の表示部に用いられる液晶パネルは、それ自体が発光しないいわゆる非発光型の表示素子である。従って、液晶表示装置では、液晶パネルの背面に面発光型の照明装置であるバックライト装置が設けられていて、このバックライト装置から照射される照射光を用いて画像表示を行っている。
【０００３】
バックライト装置は、液晶パネルに対する光源の配置の仕方により、直下型とサイドライト型（エッジライト型とも言う）とに大別される。直下型のバックライト装置は、液晶パネルの背面側に向かって光を照射するように面状に光源が配置されるとともに、光源と液晶パネルとの間に拡散板やプリズムシートなどの光学部材を配置することにより、液晶パネルの背面全体に均一な面状光を入射させるように構成されている。
【０００４】
直下型のバックライト装置は、例えばテレビジョン受像機用の大画面の液晶表示装置において好適に用いられている。一方、サイドライト型のバックライト装置は、光源からの放射光がその側面から導入される導光板を備え、導光板の内部で光源からの光を反射・散乱させて液晶パネル側に面した主面より放出させることで、面状の光源となすものである。サイドライト型のバックライト装置は、薄型化が可能であることから、携帯電話やノートパソコンなどの薄型かつ軽量であることが求められる電子機器に用いられる液晶表示装置において好適に用いられている。サイドライト型のバックライト装置においても、照射光をより均一な照度を有する面状光とするために、導光板の上面、すなわち、導光板と液晶パネルとの間の部分に、プリズムシートや拡散シートなどの１枚または２枚以上の光学シートが配置されている。
【０００５】
バックライト装置において、光源の液晶パネル側に配置されるプリズムシートは、表面に微細な凸形状が多数個規則的に配列された透明な光学シートであり、凸形状部分によるレンズ効果を用いてバックライトからの光を集光して、効率よく液晶パネルの背面側に照射するものである。このようなプリズムシートは、光の透過率が高くなる凸形状部と、その間にあって光を通しにくい間隙部分とが、連続して規則的に配列されているため、明るい凸形状部と相対的に暗い間隙部分とが交互に明暗のくり返しパターンを形成するものであると考えることができる。
【０００６】
液晶パネルは、縦方向および横方向の２次元的に多数個の画素が配置された、画像を表示する画像表示領域を備えている。画像表示領域のそれぞれの画素の間隙部分には、画素間のクロストーク（混色）を防止するとともに表示画像のコントラストを向上させるための、ブラックマトリクスと呼ばれる黒色膜が形成されている。このため、液晶パネルは、光の透過率が高い画素部分と、その間にあって光を通しにくいブラックマトリクス部分とが、二次元的に、かつ、規則的に配列されていることになる。すなわち、液晶パネルは、縦方向および横方向に交差した互いに平行でかつ等間隔の、明暗の縞状部を備えたものと考えることができる。
【０００７】
このように、液晶パネルとバックライト装置のプリズムシートとがそれぞれ有する、２つの縞状パターンが重ね合わされて配置された場合に、互いの縞状パターンが干渉して、モアレと呼ばれる干渉縞が生じることが知られている。モアレは、プリズムシートの凸形状部の配列ピッチや、液晶パネルにおけるブラックマトリクスの配置間隔よりも大きいためにユーザに視認されやすく、液晶表示装置の表示画像の品位を低下させる原因となる。
【０００８】
このような表示画像の品位を低下させるモアレの発生を防止するためのさまざま取り組みがなされている。また、特許文献１には、表示画像が斜め方向から視認されることを防止するための所定間隔で配置されたルーバーを備えた表示装置に関し、液晶パネルに縦方向に長手方向を有する長方形状として配置された多数の画素の横方向（Ｘ方向）に対し、ルーバーの配置方向を、好ましくは１０度以下に傾ける技術が記載されている。特許文献１は、規則的な格子状の明暗パターンを生じるルーバーと、液晶パネルのブラックマトリクスによる格子状パターンとの間で生じるモアレを、モアレのピッチ（明暗パターンの間隔）を小さくしてユーザに視認しにくくするものである。
【先行技術文献】
【特許文献】
【０００９】
【特許文献１】特開２００７−２５６３３０号公報
【発明の概要】
【発明が解決しようとする課題】
【００１０】
特許文献１をはじめとする従来のモアレ低減技術は、発生するモアレのピッチを小さくしてユーザが視認しにくくするものである。しかし、例えば特許文献１に記載された技術で、モアレのピッチを５０μｍ程度に小さくしたとしても、人間の目では５０μｍピッチの縞模様を認識できる場合があり、モアレを解消する技術として十分なものとは言えない。
【００１１】
本発明は、上記の問題に鑑み、液晶表示装置に用いられる所定の方向に延在する明部および暗部を有する光学部材を、液晶パネルの画素との間で生じるモアレが目立ちにくくなる条件で配置することで、高い品位の表示画像を実現できる液晶表示装置の製造方法を得ることを目的とする。
【課題を解決するための手段】
【００１２】
上記の課題を解決するために、本発明の液晶表示装置は、複数の画素により形成された画像表示領域を備える液晶パネルと、前記液晶パネルに画像表示のための照射光を照射する光源を備え、前記液晶パネルの背面側に配置されたバックライト装置と、前記光源からの光を透過する光学部材とを備えた液晶表示装置の製造方法であって、前記画像表示領域において前記画素は、第１の方向および第２の方向に規則性を持って配列され、前記光学部材は第３の方向に延在する明部および暗部を有し、前記画素の前記第１の方向への配列の間隔をＡ、前記第２の方向への配列の間隔をＢ、前記光学部材の前記明部と暗部とが形成する明暗のくり返しパターンの間隔をＣとし、前記第１の方向に垂直な方向と前記第３の方向とがなす角度をθ、前記第１の方向と前記第２の方向とがなす角度の９０°からのズレ量をαとした場合に、
Ａ／Ｃ×sinθ＝ｎ−１／２  （第１式）、
および、
Ｂ／Ｃ×（cosθ×cosα＋（sinθ×ｋ×Ｃ／Ａ）×sinα）＝ｍ−１／２  （第２式）
（但し、ｎ、ｍは自然数、ｋはＡ／Ｃ×sinθを四捨五入して整数値としたもの）
の少なくともいずれか一方の式を満たす条件で、前記液晶パネルと前記光学部材とを配置することを特徴とする。
【発明の効果】
【００１３】
本発明によれば、液晶パネルに形成された画素の第１の方向への配列間隔Ａと、第２の方向への配列間隔Ｂと、光学部材の明暗のくり返しパターンの間隔Ｃと、第１の方向に垂直な方向と第３の方向とがなす角度θ、第１の方向と第２の方向とがなす角度の９０°からのズレ量αが、所定の関係式を満たすようにして液晶パネルと光学部材とを配置する。このようにすることで、縞状のモアレを視認されにくくすることができ、画像品位の高い液晶表示装置を製造することができる。
【図面の簡単な説明】
【００１４】
【図１】実施形態にかかる液晶表示装置の概略構成を示す断面構成図である。
【図２】実施形態にかかる液晶表示装置の光学シートの形状を示す斜視図である。図２（ａ）が、断面が半円状の凸部が形成されている光学シートを示し、図２（ｂ）が、断面が三角形の凸部が形成されている光学シートを示す。
【図３】第１の実施形態にかかる液晶表示装置の製造方法により製造される、液晶パネルの画像表示領域における画素の配列状態を示す図である。
【図４】第１の実施形態における液晶表示装置の製造条件を求めるための、第１式に導入する要素を示す図である。
【図５】第１の実施形態における液晶表示装置の製造条件を求めるための、第２式に導入する要素を示す図である。
【図６】第１の実施形態にかかる液晶表示装置のモアレ生じる方向を示す図である。
【図７】第１式において、パラメータＡ、Ｃ、θの実用的な裕度範囲を説明するための図である。
【図８】第２の実施形態にかかる液晶表示装置の製造方法により製造される、液晶パネルの画像表示領域における画素の配列状態を示す図である。
【図９】第３の実施形態にかかる液晶表示装置の製造方法における、製造条件を求めるための第２式に導入するパラメータを示す図である。
【発明を実施するための形態】
【００１５】
本発明にかかる液晶表示装置の製造方法は、複数の画素により形成された画像表示領域を備える液晶パネルと、前記液晶パネルに画像表示のための照射光を照射する光源を備え、前記液晶パネルの背面側に配置されたバックライト装置と、前記光源からの光を透過する光学部材とを備えた液晶表示装置の製造方法であって、前記画像表示領域において前記画素は、第１の方向および第２の方向に規則性を持って配列され、前記光学部材は第３の方向に延在する明部および暗部を有し、前記画素の前記第１の方向への配列の間隔をＡ、前記第２の方向への配列の間隔をＢ、前記光学部材の前記明部と暗部とが形成する明暗のくり返しパターンの間隔をＣとし、前記第１の方向に垂直な方向と前記第３の方向とがなす角度をθ、前記第１の方向と前記第２の方向とがなす角度の９０°からのズレ量をαとした場合に、
Ａ／Ｃ×sinθ＝ｎ−１／２  （第１式）、
および、
Ｂ／Ｃ×（cosθ×cosα＋（sinθ×ｋ×Ｃ／Ａ）×sinα）＝ｍ−１／２  （第２式）
（但し、ｎ、ｍは自然数、ｋはＡ／Ｃ×sinθを四捨五入して整数値としたもの）
の少なくともいずれか一方の式を満たす条件で、前記液晶パネルと前記光学部材とを配置する。
【００１６】
本発明の液晶表示装置の製造方法では、液晶パネルに形成された画素の第１の方向への配列間隔Ａと、第２の方向への配列間隔Ｂと、光学部材の明暗のくり返しパターンの間隔Ｃに対して、第１の方向に垂直な方向と前記第３の方向とがなす角度θと、第１の方向と第２の方向とがなす角度の９０°からのズレ量αとが、第１式または第２式を満たすようにして液晶パネルと光学部材とを配置する。上記第１式または第２式の少なくともいずれか一方を満たすようにすることで、モアレ縞のコントラストを下げてユーザに視認されにくくすることができる。このため、画像品位の高い液晶表示装置を製造することができる。
【００１７】
上記液晶表示装置の製造方法において、光学部材が、バックライト装置の一部として光源と液晶パネルとの間に配置され、一方の主面に、配列間隔Ｃで凸状部が多数連続して形成された光学シートであることが好ましい。このようにすることで、光学シートによる輝度向上効果を備えた、表示画像の画像品位の高い液晶表示装置を得ることができる。
【００１８】
また、第１の方向と第２の方向とがなす角度が９０°（α＝０°）であることが好ましい。このようにすることで、液晶パネルの画素の配列を通常のマトリクス配列とすることができる。
【００１９】
さらに、第１式を満たす条件に対して、第１の方向に垂直な方向と第３の方向とがなす角度θを、プラスマイナス［５×Ｃ／Ａ］（°）の範囲の値に、画素の第１の方向への配列の間隔Ａを、プラスマイナス［１０×Ｃ／Ａ］（％）の範囲の値に、光学部材の明暗のくり返しパターンの間隔Ｃを、プラスマイナス［１０×Ｃ／Ａ］（％）の範囲の値に、それぞれ設定することができる。
【００２０】
また、第２式を満たす条件に対して、第１の方向に垂直な方向と第３の方向とがなす角度θを、プラスマイナス［５×Ｃ／Ｂ］（°）の範囲の値に、画素の第２の方向への配列の間隔Ｂを、プラスマイナス［１０×Ｃ／Ｂ］（％）の範囲の値に、光学部材の明暗のくり返しパターンの間隔Ｃを、プラスマイナス［１０×Ｃ／Ｂ］（％）の範囲の値に、それぞれ設定することができる。
【００２１】
このようにすることで、モアレ縞のコントラストを低減してユーザに視認されにくくする効果を得ながら、液晶パネルにおける画素の大きさや光学部材の明暗のくり返しパターンの配列間隔について、適宜の裕度を持たせることができる。
【００２２】
以下、本発明の実施形態について、図面を参照しながら説明する。
【００２３】
なお、以下で参照する各図は、本発明の液晶パネルの製造方法の条件や、製造される液晶表示装置の構成を説明する便宜上、液晶表示装置の主要部材のみを簡略化して示したものである。このため、本発明の製造方法により製造される液晶表示装置は、参照する各図に示されていない任意の構成部材を備えることができる。さらに、製造条件を導き出すための説明図面をはじめとして、本願に添付する各図における部材の寸法は、実際の構成部材の寸法および各部材の寸法比率等を必ずしも忠実に表したものではない。
【００２４】
（第１の実施形態）
図１は、本願で開示する液晶表示装置の製造方法によって製造される、液晶表示装置の概略構成を示す断面構成図である。
【００２５】
図１に示す、液晶表示装置１００は、液晶パネル１と、液晶パネル１で画像表示を行うための照射光を背面側から照射するバックライト装置２とを備えている。なお、本明細書において、液晶パネル１の画像を観視する観視者側を前面、前面の反対側の面（裏面）を背面と称することとする。
【００２６】
液晶パネル１は、液晶層１３を挟んで配置された、ガラス製の前面パネル１１と同じくガラス製の背面パネル１２とを有している。前面パネル１１の前面側と背面パネル１２の背面側には、液晶層１３と協働して液晶パネル１を透過する透過光量を制限するための一対の偏光板１４が配置されている。
【００２７】
本実施形態の液晶表示装置の製造方法によって製造される、液晶パネル１自体の構成については、従来用いられている透過型の液晶パネルの構成およびその製造方法をそのまま用いることができる。このため、本明細書では液晶パネル１の詳細な構成、および、その製造方法の内容についての詳細な説明と図示とを省略する。
【００２８】
液晶パネル１は、背面側に配置されたバックライト装置２からの照射光が透過光として液晶パネル１を透過する際に、画像表示領域を構成する液晶層１３に所定の電圧を印加して、液晶粒子の配向方向を変化させて透過光量を調整し画像を表示する。また、前面パネル１１もしくは背面パネル１２のいずれかにカラーフィルタを形成することで、カラー表示を行うことができる。なお、液晶層１３の所定の区画に所定の電圧を印加するための電極をどのように配置形成するか、また、電極を用いて液晶層１３に対してどのような方向の電圧を印加するかによって、垂直配向方式やＩＰＳ方式（横電界方式）などの各種の動作モードを採用することができる。さらに、画像表示領域を形成するそれぞれの画素における液晶層１３への電圧印加方法としても、ＴＦＴなどのスイッチング素子を用いるアクティブ方式と単純マトリクス方式とを選択することができる。
【００２９】
また、近年では、液晶パネル１の前面にタッチパネルを積層したり、前面パネル１１がタッチパネルを兼ねる構成とすることで、液晶パネル１にタッチパネルの機能を付加して、液晶パネル１の前面側を使用者が触った際に、その位置を検出して液晶表示装置１００が搭載されている電子機器の動作を制御することが行われている。
【００３０】
なお、液晶パネル１を駆動するための各種電圧や液晶パネル１で表示される画像の画像信号などを液晶パネルに供給する各種接続配線や、液晶パネルがタッチパネル機能を備えている場合にタッチ位置を信号として出力する出力配線などが備えられるが、図１においてはこれらの図示を省略する。
【００３１】
液晶表示装置１００に用いられるバックライト装置２は、照射光を照射する光源が内蔵された光源ユニット２１と、光源ユニット２１からの照射光を、より均一にかつ効率よく液晶パネル１に照射させるための複数の凸状部が配置された光学シートであるプリズムシート２２と、プリズムシート２２に積層された複数枚の拡散シート２３とを備えている。
【００３２】
光源ユニット２１は、一例としてサイドライト方式のものであり、冷陰極蛍光管や発光ダイオード（ＬＥＤ）などの光源からの放射光を、導光板を用いて面状光とするものである。導光板は樹脂製の板状物であり、側面から入射された光源からの光を導光板内部で反射・散乱させて、上面である液晶パネル１側に放出する。なお、光源が配置されている側とは反対側近傍の上面からの照射光の輝度を確保するために、導光板の厚さを、光源側が厚く反対側が薄くなるように形成することができる。また、光源からの光をより効率よく、かつ、均一な面状光として液晶パネル１の背面に照射することが可能となるように、導光板の内部に光を散乱させる粒子状部材を混入したり、導光板の光源と対向する面以外の側面や背面に反射シートを密着配置させたりすることができる。
【００３３】
なお、光源ユニット２１としては、上記した導光板を用いるサイドライト方式のものに限らず、蛍光管や発光ダイオードなどからなる多数の光源を、液晶パネル１の背面に対向するように面状に並べる直下型タイプの光源ユニット２１を用いることができる。
【００３４】
バックライト装置２は、複数の部材からなる光学シートを備えている。図１に示す液晶表示装置１００では、光学シートとして１枚のプリズムシート２２と２枚の拡散シート２３とが積層されたものを例示している。
【００３５】
プリズムシート２２は、光透過率の高い樹脂製のフィルムもしくは薄板状体であって、通常は液晶パネル１側に向けられる一方の主面に、凸状部が所定の間隔で多数連続して形成されたものである。プリズムシート２２の一主面に形成される凸状部は、それぞれが集光レンズとしての働きを行うため、プリズムシート２２を配置することによって、光源ユニット２１からの照射光を効率よく液晶パネルの背面に照射することができ、液晶パネル１で表示される画像の輝度を向上させることができる。
【００３６】
図２に、液晶表示装置１００に用いられるプリズムシート２２を示す。
【００３７】
液晶表示装置１００に用いられるプリズムシート２２としては、図２（ａ）に示すように、その一主面に形成される凸状部２２１の断面形状が略半円形状の「かまぼこ状」のプリズムシート２２ａ、もしくは、図２（ｂ）に示すように、その一主面に形成される凸状部２２３の断面形状が三角形の「鋸歯状」のプリズムシート２２ｂなど、従来用いられている各種のプリズムシートを使用することができる。
【００３８】
図２（ａ）に示す「かまぼこ状」のプリズムシート２２ａの場合も、図２（ｂ）に示す「鋸歯状」のプリズムシート２２ｂの場合も、いずれも所定の方向に延在して、かつ連続して並んで形成されている凸状部２２１、２２３の境界部分２２２が、相対的な凹部となっている。プリズムシート２２の凸状部２２１、２２３が集光作用を有しているために、凸状部２２１、２２３が明部となり、凸状部２２１、２２３の間隙部分である境界部分２２２が、プリズムシート２２における相対的な暗部となる。したがって、明暗の分布に注目すると、プリズムシート２２は、凸状部２２１、２２３である明部、および境界部分２２２である暗部とが、規則的な明暗のくり返しパターンを有していると言うことができる。そして、この明暗のくり返しパターンにおいて、凸部２２１、または、２２３の配列ピッチ、もしくは、境界部分２２２の配列ピッチを、プリズムシート２２における明暗のくり返しパターンの間隔として把握することができる。
【００３９】
図１に戻って、バックライト装置２のプリズムシート２２上には、２枚の拡散シート２３が配置されている。拡散シート２３は光透過率の高い樹脂シートであり、透過光を散乱させる働きを有している。拡散シートとして拡散光の方向を定めたものを用いることができ、例えば図１に示すように２枚の拡散シート２３を用いる場合には、それぞれの拡散シートにおける拡散方向が互いに直交するように２枚の拡散シート２３を配置することができる。このようにすることで、バックライト装置２から液晶パネル１に照射される照射光を、より均一な輝度分布の面状光とすることができる。なお、図１に示した液晶表示装置１００では、拡散シート２３を２枚用いるものを例示したが、拡散シートの枚数は２枚に限らず、拡散シートを用いない場合や、１枚の拡散シートを用いる場合、さらには３枚以上の拡散シートを用いる場合も考えられる。
【００４０】
図１では図示を省略するが、バックライト装置２は、光源ユニット２１や光源ユニット２１に積層して配置されるプリズムシート２２や拡散シート２３などを一体的に収容するとともに、その上部に液晶パネルを載置固定できる有底枠状のベゼルを備えることができる。このようにすることで、バックライト装置２を一体化して取り扱いを容易にすることができる。
【００４１】
また、液晶パネル１とバックライト装置２とを一体化した状態で、さらに液晶パネル１とバックライト装置２とを動作させる回路基板を組み込んで一つの構成部材としてまとめた液晶モジュールを形成して、液晶表示装置１００を表示部として用いられる電子機器の筐体に、容易に組み込むことができるようになる。
【００４２】
図３は、第１の実施形態に示す液晶表示装置の製造方法により製造される液晶パネル１の、画素が配置された画像表示領域の部分を拡大して示す平面図である。
【００４３】
前面パネル１１もしくは背面パネル１２のいずれか一方には、液晶パネル１でカラー画像を表示するために、ひとつの画素に対して通常赤（Ｒ）、緑（Ｇ）、青（Ｂ）の三原色の副画素が形成されている。液晶層１３の透過率を一つの画素におけるＲ、Ｇ、Ｂの三色の副画素に対して調整することで、一つの画素の色彩と輝度が決まり、これらの画素が集まることでカラー画像が表示される。
【００４４】
インライン配列と称される通常の液晶パネルにおけるカラーフィルタの配列方法により構成される画像表示領域では、図３に示すように、画素３１が、縦方向および横方向にマトリクス状に多数配列されている。このようなインライン配列の副画素を構成するために、青色フィルタ３２ｂ、赤色フィルタ３２ｒ、緑色フィルタ３２ｇが、行方向（図３の横方向）に順次並んで配列されるとともに、列方向（図３の縦方向）には、同じ色のカラーフィルタが一直線状に並べて配置されている。
【００４５】
三色のカラーフィルタＢ（３１ｂ）、Ｒ（３１ｒ）、Ｇ（３１ｇ）それぞれの周囲を取り囲むように、井桁状の黒色のブラックマトリクスが形成されている。ブラックマトリクスは、図３に示す縦方向（列方向）に縦ストライプ３３が、各色のカラーフィルタの間の部分に、また、横方向（行方向）に横ストライプ３４が、それぞれの画素３１の間の部分に形成されている。ブラックマトリクスは、液晶層１３の各副画素に対して、それぞれ異なる電圧が液晶層１３に印加できるように形成された配線部分で生じる、クロストークと呼ばれる液晶層１３の液晶分子の配列方向の乱れを覆い隠すとともに、各色で発光するカラーフィルタ３１ｂ、３１ｇ、３１ｒの周りに黒色部分を形成することで、表示画像のコントラストを向上させる働きを有している。
【００４６】
画像表示領域で表示される画像に対して、これを形成する一つ一つの画素の大きさは極めて小さいものと把握することができる。このため、実際に画像を表示している場合において、画像表示領域における画素の色と明るさが、隣り合う画素同士で全く異なることは少ない。むしろ、画像の一部分を形成する所定の面積に含まれる画素が、互いに同じ、もしくは、類似した色を、同程度の輝度で表示することが多い。
【００４７】
このように、実際に画像が表示される状況において、それぞれの画素での発光色と発光輝度とを光の透過率の観点から見ると、少なくとも一定の領域に位置する画素では、それぞれの副画素が同じ輝度割合で発光しているため、同じ色の副画素の配列毎の明暗のパターンが生じていることになる。
【００４８】
例えば、青空のように青色の画素が表示されている部分では、青色の副画素部分が列状に発光し、隣り合う赤色の副画素部分と緑色の副画素部分とは、ほとんど発光しない状態となっている。したがって、列方向の副画素の配列は、一定の間隔での明暗のパターンを形成していることになる。また、この列状に発光している青色の副画素部分は、図３に示したブラックマトリクスの横ストライプ３４により、画素の形成間隔部分で周期的に区切られている。発光している青色の画素部分にたいして、周期的に暗いブラックマトリクスの横ストライプ３４が位置することとなるから、青色の副画素は行方向の配列においても一定の間隔での明暗のパターンを形成していることになる。したがって、画像表示領域では、列方向および行方向のいずれにおいても、画素の配列ピッチでの明暗のパターンが形成されていると考えることができる。
【００４９】
このようにして、画像表示領域では画素ピッチで列方向と、行方向に明暗のパターンが形成されるが、この明暗のパターンと、前述したプリズムシートによる明暗のパターンとが干渉してモアレ縞が形成される場合がある。本願発明は、このようにして生じる、画像表示領域の画素配列に起因するモアレの発生を抑えて、高い画像表示品質を実現する液晶表示装置の製造方法を開示するものである。
【００５０】
図４は、本実施の形態の液晶表示装置の製造方法において、液晶パネル１の列方向の画素配列による明暗のパターンと、バックライト装置２に用いられるプリズムシート２２における凸状部の配列による明暗のパターンとが干渉して生じるモアレを低減するための条件を説明するための図である。
【００５１】
上記のように、液晶パネル１の画像表示領域では、第１の方向である列方向に配列された画素配列によって、周期的な明暗のパターンが形成される。図４では、列方向に配列された画素配列によって生じる明暗のパターンを、互いに平行な直線４１として表している。この直線４１は、例えば直線４１の描かれた部分のみが輝度が高いことを示すのではなく、列方向の画素配列における明暗のパターンの方向と間隔とをイメージとして示したものである。したがって、直線４１の間隔Ａは、画像表示領域における列方向の画素の配列ピッチ、すなわち、一つの画素の行方向の大きさを示すこととなる。
【００５２】
同様に、図４では、プリズムシート２２の明暗のパターンを、平行な直線４２として表している。この直線４２も、第３の方向であるプリズムシート２２における凸状部の延在方向と、凸状部の形成間隔Ｃを示すものであり、画素配列のパターンを示す直線４１と同様に、例えば直線４２の部分のみが明るい線として現れることを示すものではない。
【００５３】
図４に示すように、列方向の画素配列により生じる明暗のパターン４１と、プリズムシート２２の所定の方向に延在して形成される凸状部２２１、２２３により生じる明暗のパターン４２とが互いに交差する部分、図４において黒点４３として示している部分は、明暗のパターンが重なる光学的な特徴点と言うことができる。この特徴点４３が、例えば一方向においてのみ規則的に現れるとすると、特徴点４３によって明もしくは暗の規則的なくり返しが形成されることになり、これがユーザにモアレとして認識されてしまうことになる。
【００５４】
本願発明は、２つの明暗パターンが重ね合わされて形成される特徴点４３が、２つ以上の方向において等間隔となるように配列される条件を満たすことで、明点と暗点とが面状に均一に分散され、明点もしくは暗点がくり返して明暗の縞を形成しないためにユーザに認識されにくくなることを利用して、表示画像の画像品位低下に繋がるモアレの発生を抑制するものである。
【００５５】
より具体的には、第１の方向である液晶パネル１の画像表示領域における列方向に配列された画素の配列間隔をＡ、第３の方向であるプリズムシート２２における凸状部の延在方向の配列の間隔をＣ、第１の方向である画素の配列方向に垂直な方向と、第３の方向であるプリズムシートの凸状部の延在方向とのなす角度をθとすると、
Ａ／Ｃ×sinθ＝ｎ−１／２  （第１式）
（但し、ｎは自然数）
の条件が満たされたときには、図４に示す特徴点４３が少なくとも２方向において同じ間隔で配置されることになるため、明暗のくり返しパターンがユーザにモアレとして認識されることを抑制することができる。
【００５６】
なお、図４に示すθ１の状態は、ｎ＝１すなわち、Ａ／Ｃ×sinθ＝１／２の状態であるが、ｎ＝２、３、４・・の場合、すなわち、Ａ／Ｃ×sinθが、３／２、５／２、７／２・・の場合でも、図４に示したｎ＝１の場合と同様に特徴点４３が少なくとも２方向において同じ間隔で配置されることになるため、ユーザがモアレを認識することを抑制することができる。
【００５７】
図５は、画像表示領域の画素の第２の方向である行方向の配列と、プリズムシートの凸状部の配列とによって生じるモアレを低減できる条件を説明するための図である。
【００５８】
図５において、画像表示領域における画素の行方向の配列を直線４４として示す。直線４４は、図４における直線４１と同様に、画素の配列方向とその間隔Ｂを示すものであり、直線４４の部分のみが明るいことを示すものでない。なお、本実施形態の液晶表示装置の製造方法で製造される液晶パネル１は、図３に示したように、画素が列方向と行方向に互いに直交して配置されているため、図５における直線４４は、図４における直線４１と垂直に交わるものである。
【００５９】
図５においても、プリズムシート２２の明暗のパターンを、平行な直線４２として表している。プリズムシートにより形成される明暗のパターンの配列方向は一つであるから、第３の方向であるプリズムシート２２における凸状部の延在方向と凸状部の形成間隔Ｃとは、図４に示した直線４２と同じである。
【００６０】
第２の方向である行方向における画素の配列による明暗のパターンと、第３の方向に延在して配置されたプリズムシートの凸状部による明暗のパターンとにより生じるモアレをユーザに視認されにくくするためには、図５に示した、行方向の画素の配列による明暗のパターン４４と、プリズムシートの凸状部による明暗のパターン４２とが重なり合う特徴点４５が、２つ以上の方向において等間隔となるように配列される条件を満たすことが求められる。
【００６１】
具体的には、第２の方向である液晶パネル１の画像表示領域における行方向に配列された画素の配列間隔をＢ、第３の方向であるプリズムシート２２における凸状部の延在方向の配列の間隔をＣ、第１の方向である画素の列方向に垂直な方向とプリズムシートの凸状部の延在方向とのなす角度をθとすると、
Ｂ／Ｃ×cosθ＝ｍ−１／２    （第２式）
（但し、ｍは自然数）
の条件が満たされたときに、図５に示す特徴点４５が少なくとも２方向において同じ間隔で配置されることになるため、明暗のくり返しパターンがユーザにモアレとして認識されることを抑制することができる。
【００６２】
なお、上記の通り、本実施形態において図４に示す直線４１の延在方向である第１の方向と、図５に示す直線４４の延在方向である第２の方向とは互いに垂直であるため、本実施形態の場合には、第２式のθは、第２の方向と第３の方向とがなす角度であるということができる。
【００６３】
また、第２式においても、図５に図示したθ１の状態は、ｍが１の場合、すなわち、Ｂ／Ｃ×cosθが１／２の場合である。同様に、ｍが２、３、４の場合においても、特徴点が少なくとも２方向において同じ間隔で配置されることになるため、明暗のくり返しパターンがユーザにモアレとして認識されることを抑制することができる。
【００６４】
図６は、本実施形態の場合において、第１の配列に垂直な方向と第３の方向とがなす角θ１を変化させながら、画像表示領域における画素の配列による明暗のパターンと、プリズムシートの凸状部と境界部分とによる明暗のパターンとにより生じるモアレの角度を計算したシミュレーションの結果を示す。
【００６５】
図６のシミュレーションにおいて、列方向の画素の配列間隔Ａを０．１２６ｍｍ、行方向の画素の配列間隔Ｂを０．１２６ｍｍ、プリズムシートの凸状部の配列間隔Ｃを０．０４１６ｍｍとして、θの値を０°から９０°に変化させていったときの、モアレの発生する角度を示した図である。
【００６６】
図６において、シミュレーション結果を示す線５１が不連続に変化する部分、言い換えると、同じ角度θ１に対して、モアレが生じる方向が２方向以上同時に存在する点５２、５３、５４、５５、５６、５７が存在することが認められる。
【００６７】
このように、線５１が不連続に変化する部分は、明暗のくり返しパターンが２つの方向に同時に存在する部分であるため、ユーザが新しく生じた明暗のパターンをモアレ縞であると認識しない状態であることがわかる。
【００６８】
この状態を満たす角度θ１が、上記第１式および第２式として示される条件を、各パラメータが満たした状態である。
【００６９】
なお、第１式および第２式の２つの式のいずれかを満たすことで、明暗の規則的なパターンが低減されるため、２つの式のいずれかの要件を満たすことで、モアレの低減効果を得ることができる。また、２つの式の条件を両方同時に満たすことができる場合には、より高いモアレ低減の効果を得ることができる。
【００７０】
次に、モアレが生じない条件における設計裕度について説明する。
【００７１】
上記第１式と第２式とは、明暗パターンが重なり合って生じる特徴点が、２以上の方向で同じ間隔で生じるために、合成された明暗のパターンがモアレとして認識されないいわば理想的な条件である。しかし、現実の液晶表示装置のパネル設計や、光学シートの選択においては、モアレを低減できる条件のみを考慮するわけにはいかず、液晶パネルの画像表示領域（有効画面）の大きさと画素密度とにより定まる画素ピッチの制約を受けることがある。
【００７２】
例えば一つの画素をＲＧＢ３つの副画素で構成する場合には、それぞれの副画素の幅、すなわち、列方向の画素配列の間隔Ａの値が制限を受けることになる。また、各画素の高さ、すなわち行方向の画素配列の間隔Ｂについても、画像表示領域の大きさと画面縦方向の垂直解像度の関係からの制限を受ける。さらに、プリズムシートの凸状部の幅についても、プリズムシートに求められる集光率によって定まる凸状部の大きさと形状、プリズムシートの材料により定まるシートの厚さなどの構造的要件からの制約を受ける。このため、上記第１式および第２式のいずれをも実現することができない場合がある。
【００７３】
このような場合には、上記モアレが生成しない条件を定めた考え方に従って、Ａ、Ｂ、Ｃ、および、θそれぞれの値について所定の設計裕度を与えることが考えられる。
【００７４】
図７は、上記図６のシミュレーションと同じく、Ａ＝０．１２６ｍｍ、Ｂ＝０．１２６ｍｍ、Ｃ＝０．０４１６ｍｍとして、θの値を０°から９０°に変化させていったときの、モアレ縞のコントラスト比の値の変化を示したものである。
【００７５】
コントラスト比は、２画素×２画素の計４画素分の領域について、最も輝度の高くなる領域と最も輝度の低くなる領域との輝度比で算出している。
【００７６】
図７に示すように、コントラスト比の値を示す線６１は、コントラストが１になる点、すなわち、第１式の条件を満たす点６２、６３、６４、６５のそれぞれ近傍で、コントラスト比の値が１．０５よりも低い所定の範囲、６２ａ、６３ａ、６４ａ、６５ａを有していることがわかる。
【００７７】
モアレ縞が生じていても、その明暗のコントラスト比が小さい値であれば、ユーザにモアレ縞を認識されないと考えることができる。このため、コントラスト比の値が１．０５よりも小さい場合である、上記図７における領域６２ａ、６３ａ、６４ａ、６５ａの範囲であれば、実用上モアレが認識されないと期待することができる。
【００７８】
この領域の範囲を、第１式を満たす条件であるＡ、Ｃ、θの値に当てはめると、裕度の値を設定することができる。
【００７９】
具体的には、第１式において、ＡとＣとが定まっている場合におけるθの裕度Δθは、プラスマイナス［５×Ｃ／Ａ］°であることが確認できた。この範囲の角度θであれば、コントラスト比が１．０５よりも小さくなるため、実用上モアレ縞の問題が解決できていると考えることができる。
【００８０】
同様に、Ｃとθとが定まっている場合のＡの値の裕度ΔＡは、プラスマイナス［１０×Ｃ／Ａ］（％）の範囲であること、さらに、Ａとθとが定まっている場合のＣの裕度ΔＣは、プラスマイナス［１０×Ｃ／Ａ］（％）の範囲であることが、それぞれ確認できた。
【００８１】
また、第２式においても同様に件とした結果、ＢとＣとが定まっている場合におけるθの裕度Δθは、プラスマイナス［５×Ｃ／Ｂ］°であることが確認できた。この範囲の角度θであれば、コントラスト比が１．０５よりも小さくなるため、実用上モアレ縞の問題が解決できていると考えることができる。
【００８２】
同様に、Ｃとθとが定まっている場合のＢの値の裕度ΔＢは、プラスマイナス［１０×Ｃ／Ｂ］（％）の範囲であること、さらに、Ｂとθとが定まっている場合のＣの裕度ΔＣは、プラスマイナス［１０×Ｃ／Ｂ］（％）の範囲であることが、それぞれ確認できた。
【００８３】
以上説明したように、本実施形態によれば、液晶パネルの画像表示領域を形成する画素による明暗のくり返しパターンと、バックライトに設けられる、凸状部が所定の方向に延在して形成されたプリズムシートによる明暗のくり返しパターンとにより生じるモアレ縞のコントラストを低減させて、ユーザがモアレを認識できないようにして画像品位が低下することを効果的に防ぐことができる。したがって、上記第１式および第２式のいずれか一方を満たす条件で、液晶表示装置を製造することで、高い画像品位を保った液晶表示装置を製造することができる。
【００８４】
また、設計裕度として、Ａ、Ｂ、Ｃ、θの値それぞれについて所定の範囲が定められているため、液晶パネルのパネル設計上の制約や、バックライト装置に用いられるプリズムシートの制約によって、それぞれの値として厳密に所望のものが得られない場合でも、モアレ縞の明暗コントラストが小さく、実用上ユーザにモアレが視認されにくい液晶表示装置を製造することができる。
【００８５】
（第２の実施形態）
次に、本発明にかかる液晶表示装置の製造方法の第２の実施形態として、液晶パネルの画素構成がデルタ配列の場合におけるモアレの低減が可能な製造方法について説明する。
【００８６】
液晶パネルの画素配列としては、図３に示したように、各画素が縦方向と横方向のいずれにも直線状に並んだストライプ配列が最も一般的である。ストライプ配列は、図形や文字等の輪郭をシャープに表示でき、特にＯＡ用の表示装置に適している。これに対して、画素を三角形状に配置するデルタ配列は、ストライプ配列よりも肉眼で見た状態に近い画像を表示できる。デルタ配列は、ビデオやテレビジョン放送の映像表示により適していると言われている。
【００８７】
図８は、デルタ配列におけるカラーフィルタの配置状態を示している。
【００８８】
図８に示すデルタ配列のカラーフィルタ配列の場合には、三色のカラーフィルタＢ（３２ｂ）、Ｒ（３２ｒ）、Ｇ（３２ｇ）が三角形を形成するように配列されていて、図８中太線で囲んだ上に青色、下に赤色と緑色の３色の副画素で一つの画素３５が形成される。
【００８９】
このようなデルタ配列の場合には、同じ色の副画素が斜め方向に配置されているために列方向に形成される画素の配列方向が斜めになる。したがって、この斜め方向に配置された同じ色のカラーフィルタと、バックライト装置に配置されたプリズムシートの凸状部の間隙部分との間により生じる明暗パターンによってモアレ縞が生じると考えられる。
【００９０】
この場合には、第１の実施形態において説明した第１式および第２式により、モアレの生じない条件を求めるに当たって、同じ色の副画素の中心部分を結ぶラインに基づいて画素により形成される明暗のパターンの方向と間隔とを考えることになる。
【００９１】
具体的には、第１の方向である列方向における画素の配列が図８中の点線４６であり、第２の方向である画素の行方向の配列を図８の点線４７として把握する。このとき、第１の方向を示す点線４５に垂直な線と、プリズムシートの凸状部による明暗のパターンを示す線４２とが形成する角度θ２を、第１式および第２式のθとして本願発明を適用することができる。
【００９２】
図８に示した条件を用いて、第１式および第２式の少なくともいずれか一方の条件を満たすようにすること、もしくは、それぞれのパラメータを第１の実施形態で示した裕度の範囲内とすることで、デルタ配列の画像表示領域を持つ液晶パネルを用いた場合でも、画像表示領域の画素による明暗のパターンと、プリズムシートの凸状部による明暗のパターンとの間で生じるモアレのコントラストを低減することができる。この結果、高い品位の画像を表示できる液晶表示装置の製造方法を提供することができる。
【００９３】
（実施の形態３）
次に、第３の実施形態として、液晶パネルに形成されたカラーフィルタの構成が長方形ではない場合、すなわち、ブラックストライプの縦ストライプと横ストライプとが直交しない場合の応用例について説明する。
【００９４】
本実施形態で説明する応用例の液晶表示装置では、画像表示領域のブラックストライプが、縦ストライプと横ストライプとが９０°で交わらずに、直交状態から角度αだけずれて斜めに交わっている。すなわち、縦ストライプ３２と横ストライプ３３とが、９０＋α（°）の角度で交わっている場合である。
【００９５】
この場合には、第１の方向である列方向の画素の配列は、図３で示したストライプ配列と同じであるため、図９に示したように、列方向のがその配列は直線４１で示すことができる。一方、行方向の画素の配列は、列方向の画素の配列を示す直線４１と垂直に交わらず、垂直から角度αだけずれた状態、すなわち、９０＋α（°）の角度で交わることになる。
【００９６】
このように、列方向の画素の配列による明暗のパターン４１と、行方向の画素の配列による明暗のパターン４８とが、直交していない場合には、９０°からのズレ量α（°）を上記第２式に適用することで、第１の実施形態で説明した考え方に基づいてモアレが認識されない条件を導き出すことができる。
【００９７】
すなわち、本実施形態の変形例の画像表示領域の場合には、
第１式として、そのまま  Ａ／Ｃ×sinθ＝ｎ−１／２を用い、
ＢとＣとの間の条件を求める第２式において、角度αを考慮して、
Ｂ／Ｃ×（cosθ×cosα＋（sinθ−ｋ×Ｃ／Ａ）×sinα）＝ｍ−１／２  （第２Ｂ式）
の条件を満たすことで、２つの明暗のパターン４１および４８が重なり合う特徴点４９が、２以上の方向で同じ間隔で配置される条件が求められる。
【００９８】
なお、この変形例の第２式の場合において、ｍは自然数、ｋはＡ／Ｃ×sinθを四捨五入して整数値としたものとなる。
【００９９】
なお、第１の実施形態において説明した、画像表示領域の画素の配列がストライプ配列である場合、すなわち、第１の方向である列方向と、第２の方向である行方向とが直交する場合とは、α＝０°の場合として上記第２Ｂ式に含まれる。したがって、本発明における第２式の条件としては、画素の配列における列方向と行方向とが直交する条件からのズレ量をα（°）とすることで、この第３の実施形態において説明した第２Ｂ式を一般式として用いることができる。
【０１００】
以下、本発明の液晶表示装置について、さまざまな画素の配列パターンへの適用例も含めて説明してきた。
【０１０１】
いずれの場合においても、上記第１式、もしくは、第２式の少なくともいずれか一方の関係を満たすように液晶パネルとプリズムシートとを配置することで、明暗のパターンが重ね合わされることで生じるモアレのコントラストを低減し、ユーザにモアレが認識されにくい高い品位の画像を表示できる液晶表示装置を製造することができる。
【０１０２】
なお、上記説明では、カラーフィルタとして、ＲＧＢ三色のフィルタを備えた液晶パネルを例示して説明したが、本発明の製造方法の対象となる液晶パネルは、ＲＧＢ三色のカラーフィルタを備えたものに限られない。単色の画像表示領域や、ＲＧＢに黄色（Ｙ）、マゼンタ（Ｍ）、シアン（Ｃ）などの補色を組み合わせた、４色ないし６色のカラーフィルタを備えた液晶パネル、輝度向上のために白（Ｗ）のフィルタを備えた液晶パネル、緑（Ｇ）の配置を２箇所とした４つのカラーフィルタで一つの画素を構成するものなど、各色のフィルタをさまざまな配置で備えた、各種の液晶パネルを用いた液晶表示装置の製造方法に適用することができる。
【０１０３】
また、上記各実施形態では、第３の方向に延在した明部と暗部とを有し、所定の間隔での明暗のパターンを生じさせる光源からの光を透過する光学部材として、光学シートとしてバックライト装置に設けられたプリズムシートを例示して説明したが、光学部材は、プリズムシートには限られない。例えば、液晶パネルに対向する側の表面にプリズム形状を有した導光板、また、従来の技術として説明した、横方向から画像が見られることを防ぐルーバー、その他液晶表示装置に含まれる各種の光学的効果を有するシートなど、一方向に延在する光学的特徴が規則的に配列されることにより光学的に明暗のパターンを生じさせ、画像表示領域の画素の配列との間でモアレを生じさせる可能性があるものは、本願発明における光学部材として本願発明を適用することができる。
【産業上の利用可能性】
【０１０４】
本発明は、液晶パネルとバックライト装置とを備えた液晶表示装置の製造方法として、産業上利用可能である。
【符号の説明】
【０１０５】
１      液晶パネル
２      バックライト装置
２１      光源
２２      プリズムシート（光学部材）
３１      画素
３２      カラーフィルタ
４１      列方向（第１の方向）の明暗のパターン
４２      凸状物の延在方向（第３の方向）の明暗のパターン
４４      行方向（第２の方向）の明暗のパターン
１００      液晶表示装置
２２１、２２３  凸状部
２２２      凸状部の間隙部分
【図１】
2013160803.tif 000003
【図２】
2013160803.tif 000004
【図３】
2013160803.tif 000005
【図４】
2013160803.tif 000006
【図５】
2013160803.tif 000007
【図６】
2013160803.tif 000008
【図７】
2013160803.tif 000009
【図８】
2013160803.tif 000010
【図９】
2013160803.tif 000011